(57)【要約】【課題】フィード溶液およびドロー溶液の供給量を変更せずに正浸透処理による透過水量の変動を小さくすることができる、正浸透処理方法および正浸透処理装置を提供すること。【解決手段】フィード溶液と、該フィード溶液よりも浸透圧が高いドロー溶液と、を半透膜を介して接触させることで、前記フィード溶液中に含まれる水を前記ドロー溶液中に移動させる、正浸透工程を含み、前記正浸透工程において、前記フィード溶液中から前記ドロー溶液中へ移動する水の量である透過水量の変動が小さくなるように、前記フィード溶液と前記ドロー溶液との物理的な圧力差が調整される、正浸透処理方法。【選択図】図１
2020014995.tif 000002
【特許請求の範囲】
【請求項１】
フィード溶液と、該フィード溶液よりも浸透圧が高いドロー溶液と、を半透膜を介して接触させることで、前記フィード溶液中に含まれる水を前記ドロー溶液中に移動させる、正浸透工程を含み、
前記正浸透工程において、前記フィード溶液中から前記ドロー溶液中へ移動する水の量である透過水量の変動が小さくなるように、前記フィード溶液と前記ドロー溶液との物理的な圧力差が調整される、正浸透処理方法。
【請求項２】
前記透過水量の変動は、温度変化に起因する変動である、請求項１に記載の正浸透処理方法。
【請求項３】
前記正浸透工程において、前記フィード溶液を加圧すること、または、前記ドロー溶液を加圧または減圧することにより、前記フィード溶液と前記ドロー溶液との物理的な圧力差が調整される、請求項１または２に記載の正浸透処理方法。
【請求項４】
前記半透膜は中空糸膜である、請求項１〜３のいずれか１項に記載の正浸透処理方法。
【請求項５】
前記中空糸膜の内側に前記ドロー溶液を供給し、前記中空糸膜の外側に前記フィード溶液を供給する、請求項４に記載の正浸透処理方法。
【請求項６】
請求項１〜５のいずれか１項に記載の正浸透処理方法に用いられる正浸透処理装置であって、
前記半透膜、ならびに、前記フィード溶液が供給される第１室、および、前記ドロー溶液が供給される第２室を有し、前記第１室と前記第２室とは前記半透膜で仕切られている、正浸透モジュールと、
前記フィード溶液および前記ドロー溶液の少なくとも１つの圧力を制御するための圧力調整装置と、を備え、
前記圧力調整装置によって、前記フィード溶液中から前記ドロー溶液中へ移動する水の量である透過水量の変動が小さくなるように、前記フィード溶液と前記ドロー溶液との物理的な圧力差が調整される、正浸透処理装置。
【発明の詳細な説明】
【技術分野】
【０００１】
本発明は、正浸透処理方法および正浸透処理装置に関する。
【背景技術】
【０００２】
海水、河川水または排水などの処理対象液（フィード溶液）から、正浸透現象を利用して真水を回収するための正浸透処理方法が知られている。正浸透（Forward Osmosis：以下、「ＦＯ」と略す場合がある）現象とは、低濃度の溶液中の水がより高濃度（高浸透圧）の溶液に向かって半透膜を透過して移動する現象のことである。
【０００３】
正浸透処理では、フィード溶液（Feed Solution：以下、「ＦＳ」と略す場合がある）より高い浸透圧を有するドロー溶液（Draw Solution：以下、「ＤＳ」と略す場合がある）を用いる。正浸透モジュール内において、半透膜を介してＤＳとＦＳとを接触させると、浸透圧の低いＦＳから浸透圧の高いＤＳへ水が移動する。そして、正浸透モジュールを通過した後のＤＳ（すなわち、ＦＳ中から水を回収したＤＳ）から、種々の手法を用いて真水を回収することができる。
【０００４】
なお、特許文献１（特開２０１４−１８４４０３号公報）には、ＦＳを間欠的に加圧すること、および／または、ＤＳを間欠的に減圧することにより、正浸透装置の透過水量を増加させる方法が記載されている。特許文献１（［００１０］）には、圧力付加と解除を繰り返すことにより、透過水量を増加させ得る旨記載されている。
【先行技術文献】
【特許文献】
【０００５】
【特許文献１】特開２０１４−１８４４０３号公報
【発明の概要】
【発明が解決しようとする課題】
【０００６】
例えば、温度変化によるＦＳおよびＤＳの粘度、浸透圧等の変化、半透膜の性能の変化などにより、正浸透（ＦＯ）の透過水量に変動（季節変動、日差変動など）が生じる場合がある。より具体的には、例えば、温度低下によりＦＳおよびＤＳの粘度が上昇することで、ＦＯの透過水量が低下する場合がある。また、例えば、長期運転後の半透膜の性能低下によっても、ＦＯの透過水量が徐々に変動する場合がある。
【０００７】
ここで、例えば、ＦＯによりＦＳの水を回収したＤＳから逆浸透（ＲＯ）によって水を回収するために、ＦＯモジュールがＲＯモジュール等に組み合わせられている場合、ＦＯの透過水量が変動すると、ＦＯモジュールの当初の透過水量に合わせて設計されたＲＯモジュール等の運転条件が適切なものではなくなり、ＲＯモジュール等の運転条件および設備の変更が必要になる可能性がある。したがって、温度変化等の透過水量の変動要因が存在する場合でも、ＦＯの透過水量の変動を小さくする（好ましくはＦＯの透過水量が一定に維持される）ことが望まれる。
【０００８】
ＦＯの透過水量の変動を小さくする方法としては、温度変化によるＦＳおよびＤＳの粘度変化等に応じてＦＳおよびＤＳの供給量を変更する方法も考えられる。しかし、ＦＳおよびＤＳの前処理設備の稼働率が季節により変動することは経済性の観点から損失が大きく、ＦＳおよびＤＳの供給量を季節により変更することは商業的には難しい。また、ＦＳおよびＤＳの供給量を変更すると、（特にＦＯとＲＯモジュール等の周辺設備とを組み合わせたシステムにおいて、）運転条件の複雑な再設定が必要になったり、送液ポンプなどの設備の変更等が必要になったりするという問題がある。
【０００９】
そこで、本発明は、フィード溶液およびドロー溶液の供給量を変更せずに正浸透処理による透過水量の変動を小さくすることができる、正浸透処理方法および正浸透処理装置を提供することを目的とする。
【課題を解決するための手段】
【００１０】
［１］  フィード溶液と、該フィード溶液よりも浸透圧が高いドロー溶液と、を半透膜を介して接触させることで、前記フィード溶液中に含まれる水を前記ドロー溶液中に移動させる、正浸透工程を含み、
前記正浸透工程において、前記フィード溶液中から前記ドロー溶液中へ移動する水の量である透過水量の変動が小さくなるように、前記フィード溶液と前記ドロー溶液との物理的な圧力差が調整される、正浸透処理方法。
【００１１】
［２］  前記透過水量の変動は、温度変化に起因する変動である、［１］に記載の正浸透処理方法。
【００１２】
［３］  前記正浸透工程において、前記フィード溶液を加圧すること、または、前記ドロー溶液を加圧または減圧することにより、前記フィード溶液と前記ドロー溶液との物理的な圧力差が調整される、［１］または［２］に記載の正浸透処理方法。
【００１３】
［４］  前記半透膜は中空糸膜である、［１］〜［３］のいずれかに記載の正浸透処理方法。
【００１４】
［５］  前記中空糸膜の内側に前記ドロー溶液を供給し、前記中空糸膜の外側に前記フィード溶液を供給する、［４］に記載の正浸透処理方法。
【００１５】
［６］  ［１］〜［５］のいずれかに記載の正浸透処理方法に用いられる正浸透処理装置であって、
前記半透膜、ならびに、前記フィード溶液が供給される第１室、および、前記ドロー溶液が供給される第２室を有し、前記第１室と前記第２室とは前記半透膜で仕切られている、正浸透モジュールと、
前記フィード溶液および前記ドロー溶液の少なくとも１つの圧力を制御するための圧力調整装置と、を備え、
前記圧力調整装置によって、前記フィード溶液中から前記ドロー溶液中へ移動する水の量である透過水量の変動が小さくなるように、前記フィード溶液と前記ドロー溶液との物理的な圧力差が調整される、正浸透処理装置。
【発明の効果】
【００１６】
本発明によれば、正浸透工程において、正浸透処理による透過水量の変動が小さくなるように、フィード溶液とドロー溶液との物理的な圧力差を調整することにより、フィード溶液およびドロー溶液の供給量を変更せずに正浸透処理による透過水量の変動を小さくすることができる。
【図面の簡単な説明】
【００１７】
【図１】実施形態の正浸透処理方法および正浸透処理装置を説明するための模式図である。
【図２】実施形態の正浸透処理方法および正浸透処理装置に用いられる正浸透モジュール（中空糸膜モジュール）の一例を示す断面模式図である。
【図３】実施形態の正浸透処理方法を実施した場合と、従来の正浸透処理方法を実施した場合とについて、温度変化とＦＯモジュールの出口におけるＤＳの流量の変動との関係を示す模式的なグラフである。
【図４】実施形態の正浸透処理方法を実施した場合と、従来の正浸透処理方法を実施した場合とについて、温度変化とＦＯモジュールの出口におけるＤＳの濃度の変動との関係を示す模式的なグラフである。
【発明を実施するための形態】
【００１８】
以下、本発明の実施形態について、図面を参照して説明する。なお、図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００１９】
＜正浸透処理装置＞
まず、本実施形態の正浸透処理方法に好適に用いることのできる正浸透処理装置の一例について説明する。
【００２０】
図１を参照して、本実施形態の正浸透処理装置は、正浸透モジュール１と、圧力調整装置３と、を少なくとも備える。
【００２１】
〔正浸透モジュール〕
正浸透モジュール１は、半透膜１０、ならびに、ＦＳが供給される第１室１１、および、ＤＳが供給される第２室１２を有する。第１室１１と第２室１２とは半透膜１０で仕切られている。
【００２２】
半透膜１０としては、特に限定されず、正浸透に用いることのできる種々公知の半透膜を使用できる。
【００２３】
半透膜を構成する材料としては、特に限定されないが、例えば、セルロース系樹脂、ポリスルホン系樹脂、ポリアミド系樹脂などが挙げられる。半透膜は、セルロース系樹脂およびポリスルホン系樹脂の少なくともいずれかを含む材料から構成されることが好ましい。
【００２４】
セルロース系樹脂は、好ましくは酢酸セルロース系樹脂である。酢酸セルロース系樹脂は、殺菌剤である塩素に対する耐性があり、微生物の増殖を抑制できる。酢酸セルロース系樹脂は、好ましくは酢酸セルロースであり、耐久性の点から、より好ましくは三酢酸セルロースである。
【００２５】
ポリスルホン系樹脂は、好ましくはポリエーテルスルホン系樹脂である。ポリエーテルスルホン系樹脂は、好ましくはスルホン化ポリエーテルスルホンである。
【００２６】
半透膜の形状としては、特に限定されないが、例えば、平膜、スパイラル膜または中空糸膜が挙げられる。なお、図１では、半透膜１０として簡略化した平膜を描いているが、これに限定されない。なお、中空糸膜（中空糸型半透膜）は、平膜、スパイラル膜などに比べて、モジュール当たりの膜面積を大きくすることができ、正浸透の効率を高めることができる点で有利である。
【００２７】
なお、ＦＯモジュール１の形態としては、特に限定されないが、中空糸膜を用いる場合は、複数の中空糸膜をストレート配置したモジュールや、複数の中空糸膜を芯管に巻きつけたクロスワインド型モジュールなどが挙げられる。平膜を用いる場合は、複数の平膜を積み重ねた積層型モジュールや、複数の平膜を封筒状として芯管に巻きつけたスパイラル型モジュールなどが挙げられる。
【００２８】
（中空糸膜モジュール）
以下に、図２を参照して、中空糸膜を用いたＦＯモジュール（中空糸膜モジュール）の１例について説明する。図２の中空糸膜モジュールは、１つの圧力容器１００に、１つの中空糸膜エレメントが装填されたシングルエレメント型中空糸膜モジュールである。フィード溶液（ＦＳ）は中空糸膜４１の外側４２を流れ、ドロー溶液（ＤＳ）は中空糸膜４１の内部（中空部）を流れる。これにより、ＦＳ中の淡水をＤＳへ取出すことで、ＤＳを希釈したり、ＦＳを濃縮したりすることができる。
【００２９】
中空糸膜エレメントは、中心に配置された複数の孔２１ａを有する多孔分配管２１と、その周囲に配置された複数の中空糸膜４１と、多孔分配管２１および複数の中空糸膜４１をそれらの両端で固定する樹脂壁６１とを備える。なお、複数の中空糸膜４１の各々はその両端に開口部を有している。
【００３０】
中空糸膜エレメントは、複数の中空糸膜４１の内部および中空糸膜モジュールの外部に連通するＤＳ供給口１１１ａおよび排出口１１１ｂを有し、中空糸膜４１の流入側開口部４１ａはＤＳ供給口１１１ａに接続され、流出側開口部４１ｂはＤＳ排出口１１１ｂに連通している。
【００３１】
多孔分配管２１は、複数の孔を有する管状体であれば特に限定されない。多孔分配管２１により、例えば、ＦＳ供給口１１０ａから中空糸膜モジュール内に供給されたＦＳを中空糸膜の外側４２へ分配することができる。孔は、多孔分配管の中心軸を基点として放射状に各方向に設けられていることが好ましい。また、多孔分配管は、中空糸膜エレメントの略中心部に位置させることが好ましい。
【００３２】
ＤＳは、ＤＳ供給口１１１ａを介して、流入側開口部４１ａから中空糸膜４１の内部に流入し、流出側開口部４１ｂから流出し、ＤＳ排出口１１１ｂを介して外部に流出する。
【００３３】
ＦＳは、ＦＳ供給口１１０ａを介して多孔分配管２１の内部に流入し、孔２１ａから流出して、中空糸膜４１の外側４２に供給される。中空糸膜４１の外側４２を通過したＦＳは、ＦＳ排出口１１０ｂを介して外部に流出する。
【００３４】
なお、ここでは、ＦＳが中空糸膜の外側に供給され、ＤＳが中空糸膜の内部に供給される形態について説明したが、これに限定されるものではない。すなわち、ＤＳが中空糸膜の外側に供給され、ＦＳが中空糸膜の内部に供給されてもよい。
【００３５】
〔圧力調整装置〕
圧力調整装置３，３ａは、フィード溶液（ＦＳ）およびドロー溶液（ＤＳ）の少なくとも１つの圧力を制御するための装置である。圧力調整装置３，３ａによって、ＦＳ中からＤＳ中へ移動する水の量（透過水量）の変動が小さくなるように、ＦＳとＤＳとの物理的な圧力差が調整される。
【００３６】
図１に示される正浸透処理装置において、圧力調整装置３は、ＦＳを加圧するための加圧装置（昇圧ポンプ）３１と、加圧装置３１の圧力を制御する制御装置３２と、を含む。また、圧力調整装置３ａは、ＤＳを加圧するための加圧装置３１ａと、加圧装置３１の圧力を制御する制御装置３２ａと、を含む。なお、圧力調整装置は、特にこのような形態に限定されず、透過水量の変動が小さくなるように、ＦＳとＤＳとの物理的な圧力差を調整することのできる装置であればよい。
【００３７】
＜正浸透処理方法＞
本実施形態の正浸透処理方法は、フィード溶液（ＦＳ：処理対象液）から半透膜を用いた正浸透により水を分離および回収する方法である。
【００３８】
本実施形態において、フィード溶液としては、水を含む溶液であれば特に限定されないが、例えば、海水、河川水、汽水、排水などが挙げられる。排水としては、例えば、工業排水、生活排水、油田またはガス田の排水などが挙げられる。なお、フィード溶液中には、溶解していない成分が含まれていてもよい。
【００３９】
ドロー溶液は、フィード溶液より高い浸透圧を有する液体であれば特に限定されないが、ドロー溶液としては、例えば、無機塩溶液、糖溶液、または、水に対する溶解度が高い気体（アンモニアや二酸化炭素など）、有機物、磁性体微粒子もしくは有機高分子などを含む液体が挙げられる。なお、ドロー溶液中には、溶解していない成分が含まれていてもよい。
【００４０】
本実施形態の正浸透処理方法は、少なくとも以下の正浸透工程を含んでいる。
〔正浸透工程〕
本工程では、正浸透モジュール１の第１室１１内にＦＳを流入させて、ＦＳを半透膜１０の第１面１０ａに接触させると共に、正浸透モジュール１の第２室１２内にＤＳを流入させて、ＤＳを半透膜１０の第２面１０ｂに接触させる。この状態で、正浸透現象により、ＦＳ中に含まれる水が、半透膜１０を第１面１０ａ側から第２面１０ｂ側に通過し、ＤＳ中に移動する。
【００４１】
本工程において、ＦＳ中からＤＳ中へ移動する水の量（透過水量）の変動が小さくなるように、ＦＳとＤＳとの物理的な圧力差が調整される。好ましくは透過水量の変動率が２０％以下になるように、より好ましくは透過水量の変動率が５％以下となるように、さらに好ましくは透過水量が実質的に一定となるように、ＦＳとＤＳとの物理的な圧力差が調整される。なお、物理的な圧力には、浸透圧は含まれない。このような調整は、例えば、上記の圧力調整装置によって実施することができる。
【００４２】
透過水量の変動は、季節変動などの温度変化に起因する変動であることが好ましい。この場合、温度変化に応じてＦＳとＤＳとの物理的な圧力差を調整することで、温度変化に曝される正浸透処理装置において、透過水量の変動を小さくすることができる。例えば、温度低下によるＦＳおよびＤＳの粘度上昇によって、ＦＯの透過水量が低下する場合は、ＦＳの加圧またはＤＳの減圧によって、ＤＳに対するＦＳの物理的な圧力差を適度に高めることにより、透過水量を増加させることができる。これにより、温度低下によって減少した透過水量の減少を抑制することができ、季節変動等の温度変化に起因するＦＯの透過水量の変動を小さくすることができる。
【００４３】
また、例えば、長期運転後の半透膜の性能低下によっても、ＦＯの透過水量が徐々に変動する場合がある。この場合も、ＤＳに対するＦＳの物理的な圧力差を徐々に（例えば、定期的に少しずつ）高めることにより、透過水量の低下を抑制し、長期運転における透過水量の変動を小さくすることができる。
【００４４】
このように、正浸透工程において、正浸透処理による透過水量（ＤＳによるＦＳ中の水の回収量）の変動が小さくなるように、ＦＳとＤＳとの物理的な圧力差を調整することにより、フィード溶液およびドロー溶液の供給量を変更せずに、正浸透処理による透過水量の変動を小さくすることができる。
【００４５】
ＦＳとＤＳとの物理的な圧力差の調整は、ＦＳの加圧またはＤＳの加圧または減圧（ＦＳの加圧、ＤＳの加圧、および、ＤＳの減圧の少なくともいずれか）によって実施することができる。好ましくは、ＦＳまたはＤＳを加圧することにより、ＦＳとＤＳとの物理的な圧力差が調整される。ＤＳを減圧する場合、一般的なＦＯ膜は設計上、負圧での運転が考慮されていないため、負圧にならないように注意が必要であり、減圧する操作が複雑になる。より好ましくは、ＦＳを加圧することにより、ＦＳとＤＳとの物理的な圧力差が調整される。ＤＳを加圧する場合には、ＤＳの圧力がＦＳとＤＳの浸透圧差を上回ると正浸透による水の透過が起こらなくなるため、複雑な制御機構を付与する必要がある。ＦＳを加圧する場合は、その圧力は好ましくは０．０５〜１．５ＭＰａであり、より好ましくは０．１〜１．０ＭＰａである。
【００４６】
ＦＳとＤＳとの物理的な圧力差の調整は、例えば、ＦＳまたはＤＳをＦＯモジュールに供給するためのポンプの圧力を調整することにより実施できる。また、例えば、ＦＯモジュールのＦＳが供給される第１室１１、または、ＤＳが供給される第２室１２に対して、外部から圧力を加えることにより実施できる。
【００４７】
ＦＳまたはＤＳの加圧または減圧は、透過水量の変動を少なくするためのＦＳとＤＳとの物理的な圧力差を維持するために、連続的に行われることが好ましい。
【００４８】
なお、正浸透処理において、単にＦＳを加圧することにより透過水量を増加させる方法は知られており、ＰＡＯ（pressure-assisted osmosis）と呼ばれている。しかしながら、ＰＡＯを透過水量の変動を小さくするために用いることは、これまで検討されていなかった。
【００４９】
図３は、実施形態の正浸透処理方法を実施した場合と、従来の正浸透処理方法を実施した場合とについて、温度変化とＦＯモジュールの出口におけるＤＳの流量の変動との関係を示す模式的なグラフである。図３において、「希釈ＤＳ流量」は、ＦＯモジュールの出口でのＤＳ（海水）の流量を意味する。
【００５０】
図４は、本実施形態の正浸透処理方法を実施した場合と、従来の正浸透処理方法を実施した場合とについて、温度変化とＦＯモジュールの出口におけるＤＳの濃度の変動との関係を示す模式的なグラフである。図４において、「希釈ＤＳ濃度」は、ＦＯモジュールあたりのＦＯモジュールの出口でのＤＳ（海水）の濃度を意味する。
【００５１】
なお、図３および図４は、ＦＳ（排水：低浸透圧側）からＤＳ（海水：高浸透圧側）へ水が移動する正浸透処理についてのグラフである。
【００５２】
図３を参照して、従来の正浸透処理方法では、低温時に透過水量が少なくなる傾向がある（点線のグラフ）。これに対して、本実施形態の正浸透処理方法では、低温時ほどＦＳ側への加圧を大きくする、またはＤＳ側への減圧を大きくすることで、透過水量の低下を抑制することができる。また、高温時にはＦＳ側への加圧を小さくする、またはＤＳ側への加圧を大きくすることで、透過水量の変動を小さくすることができる（実線のグラフ）。
【００５３】
また、図４を参照して、従来の正浸透処理方法では、低温時に透過水量が少なくなるため、ＦＯモジュールの出口でのＤＳの濃度が上昇する傾向がある（点線のグラフ）。これに対して、本実施形態の正浸透処理方法では、低温時ほどＦＳ側への加圧を大きくする、またはＤＳ側への減圧を大きくすることで、透過水量の変動を小さくすることができる。また、高温時にはＦＳ側への加圧を小さくする、またはＤＳ側への加圧を大きくすることにより、ＦＯモジュールの出口でのＤＳの濃度の変動も小さくすることができる（実線のグラフ）。
【００５４】
〔正浸透処理後の処理〕
正浸透モジュール１の第２室１２を通過することにより、正浸透現象によってＦＳ中の水を回収したＤＳに対し、ＤＳ中の水を分離および回収する方法としては、例えば、逆浸透処理、蒸留などが挙げられる。
【００５５】
逆浸透（ＲＯ）処理では、ＦＯモジュール１から排出された希釈ＤＳは、昇圧ポンプによって、希釈ＤＳが有する浸透圧より高い圧力に昇圧されて、ＲＯモジュールに供給される。ＲＯモジュールに供給された希釈ＤＳは、ＲＯ膜を透過することで希釈ＤＳから淡水を得ることができる。なお、ＲＯ膜を透過しなかった残りの希釈ＤＳは濃縮され、濃縮された希釈ＤＳは、ＤＳとして再利用することができる。
【００５６】
また、ＤＳ中に含まれるドロー物質が無機塩や低融点物質等の場合は、晶析処理によって、ＤＳ中の水を分離および回収してもよい。ドロー物質が水に対する溶解度が高い気体の場合は、ガス放散によって、ＤＳ中の水を分離および回収してもよい。ドロー物質が磁性体微粒子の場合は、磁気分離によって、ＤＳ中の水を分離および回収してもよい。ドロー物質が糖溶液の場合は、イオン交換によって、ＤＳ中の水を分離および回収してもよい。
【００５７】
このように、ＦＯモジュールがＲＯモジュール等の他の装置に組み合わせて用いられる場合、ＦＯの透過水量が変動すると、ＦＯモジュールの当初の透過水量に合わせて設計されたＲＯモジュール等の運転条件が適切なものではなくなり、ＲＯモジュール等の運転条件および設備の変更が必要になるといった問題が生じる可能性がある。しかしながら、本実施形態の正浸透処理方法によれば、温度変化等の透過水量の変動要因が存在する場合でも、ＦＯの透過水量の変動を小さくすることができるため、このような問題は基本的に生じない。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  正浸透モジュール、１０  半透膜、１０ａ  第１面、１０ｂ  第２面、１１  第１室、１２  第２室、１００  圧力容器、１１０ａ  ＦＳ供給口、１１０ｂ  ＦＳ排出口、１１１ａ  ＤＳ供給口、１１１ｂ  ＤＳ排出口、２１  多孔分配管、２１ａ  孔、３  圧力調整装置、３１  加圧装置（ポンプ）、３２  制御装置、４１  中空糸膜、４１ａ  流入側開口部、４１ｂ  流出側開口部、４２  中空糸膜の外側。
【図１】
2020014995.tif 000003
【図２】
2020014995.tif 000004
【図３】
2020014995.tif 000005
【図４】
2020014995.tif 000006